(57)【要約】【課題】  ディスク駆動装置内蔵型テレビジョン受像機において、シールド板３を小形化してシールド板自体の取付作業性を改善する。【解決手段】  ＣＲＴ５の電位による静電誘導を遮蔽するシールド板３をＣＲＴ５とディスク駆動装置１との間に配備したディスク駆動装置内蔵型テレビジョン受像機において、シールド板３を平坦に形成してディスク駆動装置１の上面にビス止めする。シールド板３のコーナ部３ａに連設した接片３５を板金製の放熱部材６の天板部６１の上面に弾圧状態で下向きに押し付ける。コーナ部３ａを取付ビス３７でディスク駆動装置１に固定することによって、接片３５の根元をディスク駆動装置１に固定する。【選択図】        図２
2005340966.tif 000002
【特許請求の範囲】
【請求項１】
ＣＲＴの下方にディスク駆動装置が配備されていて、ＣＲＴに印加された電位による静電誘導を遮蔽するシールド板がＣＲＴとディスク駆動装置との間に配備されているディスク駆動装置内蔵型テレビジョン受像機において、
上記シールド板が平坦な矩形の板金体でなり、そのシールド板のコーナ部に上記接片が外向きに連設されていると共に、その接片の根元である上記コーナ部が、水平姿勢の第１配線基板に搭載された上記ディスク駆動装置の上面にビス止めされてそのシールド板がディスク駆動装置の上面に重なり状に設置されており、
発熱部品を搭載して上記ディスク駆動装置の側方で上記第１配線基板に起立姿勢で取り付けられた第２配線基板でなる発熱要素を覆っている板金製の放熱部材の天板部の上面に上記接片が弾圧状態で下向きに押し付けられていて、上記静電誘導によって上記シールド板に印加される電荷を上記接片と上記放熱部材とを経て接地側へ放電するように構成してあることを特徴とするディスク駆動装置内蔵型テレビジョン受像機。
【請求項２】
ＣＲＴの下方にディスク駆動装置が配備されていて、ＣＲＴに印加された電位による静電誘導を遮蔽するシールド板がＣＲＴとディスク駆動装置との間に配備されているディスク駆動装置内蔵型テレビジョン受像機において、
上記シールド板が平坦な板金体でなり、かつ、そのシールド板が上記ディスク駆動装置の上面に重なり状に設置されていることを特徴とするディスク駆動装置内蔵型テレビジョン受像機。
【請求項３】
上記ディスク駆動装置の側方に配備されて発熱要素を覆っている板金製の放熱部材に、上記シールド板に連設したばね性を有する接片が弾接されていて、上記静電誘導によって上記シールド板に印加される電荷を上記接片と上記放熱部材とを経て接地側へ放電するように構成してある請求項２に記載したディスク駆動装置内蔵型テレビジョン受像機。
【請求項４】
上記放熱部材に備わっている天板部の上面に、上記ディスク駆動装置の上面にビス止めによって重なり状に設置されたシールド板の上記接片が弾圧状態で下向きに押し付けられている請求項３に記載したディスク駆動装置内蔵型テレビジョン受像機。
【請求項５】
上記シールド板が矩形に形成されていて、そのシールド板のコーナ部に上記接片が外向きに連設されていると共に、その接片の根元である上記コーナ部が、上記ディスク駆動装置の上面にビス止めされている請求項４に記載したディスク駆動装置内蔵型テレビジョン受像機。
【発明の詳細な説明】
【技術分野】
【０００１】
本発明は、ディスク駆動装置内蔵型テレビジョン受像機に関する。特に詳しくは、テレビジョン受像機のＣＲＴに印加された電位による静電誘導によってそのＣＲＴの下方に配備されたＤＶＤなどのディスク駆動装置が悪影響を受けるのを防ぐために、上記静電誘導を遮蔽するシールド板がＣＲＴとディスク駆動装置との間に配備されているディスク駆動装置内蔵型テレビジョン受像機に関する。
【背景技術】
【０００２】
図４に従来のディスク駆動装置内蔵型テレビジョン受像機の要部を分解斜視図で示してある。同図において、１はディスク駆動装置であり、このディスク駆動装置１は、テレビジョン受像機のＣＲＴ（不図示）の下方に配備される。このディスク駆動装置１は、メイン基板と称される水平姿勢の第１配線基板２の所定箇所に取付ビス１２などを使用して搭載される。ディスク駆動装置１の上面には小サイズの配線基板１３が重なり状に設置されている。この配線基板１３にはディスク駆動装置の制御に必要な回路が組み込まれている。また、第１配線基板２には、取付ビス３１などを使用してシールド板３が取り付けられる。このシールド板３は、板金を囲い箱形に加工することにより形成されていて、第１配線基板２に取り付けた状態では、そのシールド板３が第１配線基板２の接地ランドに接続されると共に、そのシールド板３がディスク駆動装置１の全体を覆う。
【０００３】
このような従来のディスク駆動装置内蔵型テレビジョン受像機では、ＣＲＴに印加された電位による静電誘導が、ＣＲＴとその下方のディスク駆動装置１との間に介在されている上記シールド板３によって遮蔽され、静電誘導によってシールド板３に印加される電荷が第１配線基板２の接地ランドを経て放電される。
【０００４】
他の従来例として、ＣＲＴとその上方に配備されたＶＴＲ装置との間に静電遮蔽板を介在させることによって、静電気を静電遮蔽板でシールドしてＶＴＲ装置のノイズの発生や誤作動を防ぐということについての記載がある（たとえば、特許文献１参照）。
【特許文献１】特開平４−２５７１７９号公報
【発明の開示】
【発明が解決しようとする課題】
【０００５】
しかしながら、図４で説明した従来のディスク駆動装置内蔵型テレビジョン受像機では、囲い箱形に形成したシールド板３によってディスク駆動装置１の全体を覆わせるという構造を採用していたので、シールド板３が大形化してそのシールド板３の製作費が嵩むという問題や、第１配線基板２にシールド板３の設置スペースを広く確保する必要が生じて、部品の実装密度を高くすることによる第１配線基板２の小サイズ化を図りにくいという問題があった。
【０００６】
本発明は以上の問題に鑑みてなされたものであり、シールド板の顕著な小形化を図ってシールド板自体の製作費を低減することが可能であり、しかも、シールド板の設置スペースを、ディスク駆動装置を搭載した第１配線基板に確保する必要をなくしてその第１配線基板の小サイズ化を図りやすくすることのできるディスク駆動装置内蔵型テレビジョン受像機を提供することを目的とする。
【０００７】
また、本発明は、ディスク駆動装置内蔵型テレビジョン受像機において、静電誘導によってシールド板に印加された電荷を接地側へ放電させるための構造として、組立作業性に優れ、性能安定性にも優れた構造を提供することを目的とする。
【課題を解決するための手段】
【０００８】
本発明に係るディスク駆動装置内蔵型テレビジョン受像機では、ＣＲＴの下方にディスク駆動装置が配備されていて、ＣＲＴに印加された電位による静電誘導を遮蔽するシールド板がＣＲＴとディスク駆動装置との間に配備されている。そして、上記シールド板が平坦な板金体でなり、かつ、そのシールド板が上記ディスク駆動装置の上面に重なり状に設置されている。
【０００９】
この構成であれば、ＣＲＴに印加された電位による静電誘導が、ディスク駆動装置の上面に重なり状に設置されたシールド板によって遮蔽されるので、ディスク駆動装置に静電誘導による悪影響が及ばなくなる。また、シールド板が平坦な板金体でなり、かつ、ディスク駆動装置の上面に重なり状に設置されるので、シールド板を図４で説明したような囲い箱形に加工する必要がなく、しかも、そのサイズが格段に小さくなって、シールド板自体の製作費も低減する。
【００１０】
本発明では、上記ディスク駆動装置の側方に配備されて発熱要素を覆っている板金製の放熱部材に、上記シールド板に連設したばね性を有する接片が弾接されていて、上記静電誘導によって上記シールド板に印加される電荷を上記接片と上記放熱部材とを経て接地側へ放電するように構成してある、という構成を採用することが可能である。これによれば、シールド板に印加される電荷を放熱部材を利用して接地側へ放電することが可能であるだけでなく、シールド板と放熱部材とをビス止めなどの面倒な作業を行うことなく接続することが可能になる。
【００１１】
本発明では、上記放熱部材に備わっている天板部の上面に、上記ディスク駆動装置の上面にビス止めによって重なり状に設置されたシールド板の上記接片が弾圧状態で下向きに押し付けられていることが望ましい。この構成であれば、ディスク駆動装置や放熱部材を第１配線基板に搭載した後、ディスク駆動装置の上面にシールド板を重なり状に設置するという作業を通じて、シールド板の接片を放熱部材の天板部の上面に弾圧状態で押し付けることができるので、シールド板を放熱部材に接続する作業を容易にしかも確実に行うことができるようになる。
【００１２】
本発明では、上記シールド板が矩形に形成されていて、そのシールド板のコーナ部に上記接片が外向きに連設されていると共に、その接片の根元である上記コーナ部が、上記ディスク駆動装置の上面にビス止めされていることが望ましい。この構成であれば、接片の根元でシールド板をディスク駆動措置の上面にビス止めしていることによって、放熱部材の天板部の上面に弾圧状態で下向きに押し付けられている接片が確実にその天板部の上面に押し付けられるようになって接片と放熱部材との接続信頼性が向上する。
【００１３】
本発明に係るディスク駆動装置内蔵型テレビジョン受像機は、ＣＲＴの下方にディスク駆動装置が配備されていて、ＣＲＴに印加された電位による静電誘導を遮蔽するシールド板がＣＲＴとディスク駆動装置との間に配備されているディスク駆動装置内蔵型テレビジョン受像機において、上記シールド板が平坦な矩形の板金体でなり、そのシールド板のコーナ部に上記接片が外向きに連設されていると共に、その接片の根元である上記コーナ部が、水平姿勢の第１配線基板に搭載された上記ディスク駆動装置の上面にビス止めされてそのシールド板がディスク駆動装置の上面に重なり状に設置されており、発熱部品を搭載して上記ディスク駆動装置の側方で上記第１配線基板に起立姿勢で取り付けられた第２配線基板でなる発熱要素を覆っている板金製の放熱部材の天板部の上面に上記接片が弾圧状態で下向きに押し付けられていて、上記静電誘導によって上記シールド板に印加される電荷を上記接片と上記放熱部材とを経て接地側へ放電するように構成してある、という構成を採用することによっていっそう具体化される。この発明についての作用は後述する実施形態を参照して詳細に説明する。
【発明の効果】
【００１４】
以上のように、本発明に係るディスク駆動装置内蔵型テレビジョン受像機によれば、シールド板の顕著な小形化を図ってシールド板自体の製作費を低減することが可能であるだけでなく、シールド板を取付作業性にも優れている。また、シールド板の設置スペースを、ディスク駆動装置を搭載した第１配線基板に確保する必要がないので、第１配線基板の小サイズ化によるダウンサイジングを図りやすくなる。さらに、静電誘導によってシールド板に印加された電荷を接地側へ放電させるための構造として、組立作業性に優れ、性能安定性にも優れた構造を提供することが可能になる。
【発明を実施するための最良の形態】
【００１５】
図１は本発明に係るディスク駆動装置内蔵型テレビジョン受像機の概略構成図、図２はディスク駆動装置１などの分解斜視図、図３はシールド板３と放熱部材６との接続構造を示した部分側面図である。
【００１６】
図１に示したディスク駆動装置内蔵型テレビジョン受像機は、キャビネット１００に、ＣＲＴ（ブラウン管）５とＤＶＤとしてのディスク駆動装置（ディスクローダ）１とが収容されていて、ディスク駆動装置１はＣＲＴ５の下方に配備されている。
【００１７】
図２のように、ディスク駆動装置１は、枠体１５にディスクトレイ１６や図に現れていない光ピックアップなどの光学系部品を搭載しており、ディスクトレイ１６が枠体１５に対して前後に出退されることによってディスクのローディングやアンローディングが行われ、ローディングされたディスクに対して上記光学系部品が作用することによってディスクへのデータの記録やその記録データの再生などが行われる。また、ディスクに記録されるデータやその記録データが画像化されてＣＲＴ５（図１参照）に表示される。
【００１８】
このディスク駆動装置１は、取付ビス１２などを介してメイン基板と称される水平姿勢の第１配線基板２に搭載される。この第１配線基板２には、立ち基板と称される第２配線基板１４が起立姿勢で取り付けられる。第２配線基板１４には、図４で説明した従来のディスク駆動装置１の配線基板１３に搭載されていた電気電子部品などが搭載されていて、それらの部品の中には発熱部品（不図示）が含まれている。したがって、電気電子部品などを搭載した第２配線基板１４自体が発熱要素となる。そして、その発熱要素、すなわち発熱部品を搭載した第２配線基板１４の発熱を抑制するために放熱部材６が配備される。この放熱部材６は板金製であって、第２配線基板１４の全体を覆う偏平な背高の箱形に形成されていて、その天板部６１に開口６２が備わっている。この放熱部材６は、取付ビス６３によって第１配線基板２に取り付けられ、その取付状態では、当該放熱部材６の下端に設けられた半田付け片６４が第１配線基板２の接地ランドに半田付けされる。
【００１９】
ＣＲＴ５（図１参照）とディスク駆動装置１との間に配備されるシールド板３は図２のように平面視矩形の板金体でなり、そのシールド板３の２つのコーナ部にそれぞれビス孔３２，３３が備わっていると共に、片側のビス孔３２が形成されているコーナ部３ａに外向きに接片３５が連設されている。図３のように、この接片３５は、コーナ部３ａを根元として、そのコーナ部３ａから谷形に延び出た屈曲片３５ａと、その屈曲片３５ａの先端から延出された接点部３５ｂとを備えていて、上記コーナ部３ａと屈曲片３５ａとの境界部分イがばね弾性を発揮するようになっている。このシールド板３は、２箇所の上記ビス孔３２，３３に挿通した取付ビス３７，３８のそれぞれをディスク駆動装置１の外枠１５の上面の２箇所に備わっているビス孔１７，１８にねじ込んで締め付けることによってディスク駆動装置１の上面に重なり状にビス止めされる。そして、そのようにしてシールド板３をディスク駆動装置１の上面に重なり状にビス止めすると、シールド板３の接片３５がその根元で取付ビス３７によって下方へ押し付けられてその接点部３５ｂが放熱部材６の天板部６１の上面に強く下向きに押し付けられる。したがって、シールド板３をディスク駆動装置１の上面にビス止めするという作業を行うだけで、接片３５が放熱部材６の天板部６１に弾圧状態で確実に弾接して放熱部材６に対するシールド板３の優れた接続安定性が確保されるようになる。
【００２０】
以上のように構成されたディスク駆動装置内蔵型テレビジョン受像機によると、ＣＲＴ５に印加された電位による静電誘導が、ディスク駆動装置１の上面に重なり状に設置された平坦な板金体でなるシールド板３によって遮蔽され、静電誘導によってシールド板３に印加された電荷が接片３５と放熱部材６とを経て接地側へ放電される。そのため、ディスク駆動装置１に静電誘導による悪影響が及ばなくなり、ディスクの記録又は再生時のノイズの発生などが抑制されて安定した記録再生動作が行われるようになる。
【００２１】
また、シールド板３が平坦な矩形の板金体でなるので、シールド板３を図４で説明したような囲い箱形に加工する場合よりも安価に製作することが可能になるだけでなく、シールド板３と放熱部材６とがビス止めなどの面倒な作業を行うことなく確実に接続されて、両者の接続不良に起因するシールド性能の低下が起こらなくなる。併せて、ディスク駆動装置１の上面にシールド板３を重なり状に設置するという作業を通じて、シールド板３の接片３５を放熱部材６の天板部６１の上面に弾圧状態で押し付けることができ、また、接片３５の根元であるシールド板３のコーナ部３ａがディスク駆動装置１の上面にビス止めされているので、シールド板を放熱部材に接続する作業が容易にしかも確実に行われるようになる。
【図面の簡単な説明】
【００２２】
【図１】本発明に係るディスク駆動装置内蔵型テレビジョン受像機の概略構成図である。
【図２】ディスク駆動装置などの分解斜視図である。
【図３】シールド板と放熱部材との接続構造を示した部分側面図である。
【図４】従来のディスク駆動装置内蔵型テレビジョン受像機に用いられているディスク駆動装置の分解斜視図である。
【符号の説明】
【００２３】
１  ディスク駆動装置
２  第１配線基板
３  シールド板
３ａ  コーナ部
５  ＣＲＴ
６  放熱部材
１４  第２配線基板（発熱要素）
３５  接片
６１  天板部
【図１】
2005340966.tif 000003
【図２】
2005340966.tif 000004
【図３】
2005340966.tif 000005
【図４】
2005340966.tif 000006